(57)【要約】【課題】小型化及び軽量化を図る為に移送路が蛇行乃至折り曲げた形態を取らざるを得ないプリンターにおいて、印字発行済みＲＦＩＤ用紙（ＲＦＩＤラベル）に対しデータ読取り書込み部からの電波の反射乃至干渉によるデータの上書き防止可能なＲＦＩＤ用紙用プリンターを提供すること。【解決手段】用紙排出口９を形成している前面壁部２Ｂにアルミニウム或いは鉄等の金属材料による防護板材３１を設けることに着目し、用紙供給部４、データ読取り書込み部７及び用紙印字部８を設け、筐体２底面部２Ａを金属材料にて構成しＲＦＩＤ用紙１１を筐体２内にて用紙供給部４からデータ読取り書込み部７及び用紙印字部８に向って所定の移送路５上に移送するようにし、筐体２はＲＦＩＤ用紙１１を排出用空間２２から筐体２の外部に排出する為の用紙排出口９を形成した前面壁部２Ｂを有し、前面壁部２Ｂに金属材料による防護板材３１を取り付けてあることを特徴とする。【選択図】図１
2009134622.tif 000002
【特許請求の範囲】
【請求項１】
筐体と、
用紙アンテナおよびＩＣチップを有するＲＦＩＤ用紙の用紙供給部と、
このＲＦＩＤ用紙に対向するＲＦＩＤアンテナを有して、前記ＩＣチップからのデータの読取りおよび前記ＩＣチップへのデータの書込みを行うデータ読取り書込み部と、
このＲＦＩＤ用紙に所定の情報の印字を行う用紙印字部と、を設け、さらに、
前記筐体は、前記用紙供給部を収容する供給部空間と、この供給部空間に続くとともに前記データ読取り書み部を収容する読取り書込み部空間と、この読取り書込み部空間に続くとともに前記ＲＦＩＤ用紙を排出する方向に案内する排出用空間と、を形成しているとともに、その底面部を金属材料により構成し、
前記ＲＦＩＤ用紙を前記筐体内において前記用紙供給部から前記データ読取り書込み部および前記用紙印字部に向かって所定の移送路上に移送するようにしたＲＦＩＤ用紙用プリンターであって、
前記筐体は、前記ＲＦＩＤ用紙を前記排出用空間から前記筐体の外部に排出するための用紙排出口を形成した前面壁部を有し、
この前面壁部に金属材料による防護板材を取り付けてあることを特徴とするＲＦＩＤ用紙用プリンター。
【請求項２】
前記ＲＦＩＤ用紙は、前記読取り書込み部空間において前記移送路における上方傾斜移送路を通るようにしていることを特徴とする請求項１記載のＲＦＩＤ用紙用プリンター。
【請求項３】
前記ＲＦＩＤ用紙は、前記排出用空間から前記用紙排出口に向けて前記移送路における下方傾斜移送路を通るようにしていることを特徴とする請求項１記載のＲＦＩＤ用紙用プリンター。
【請求項４】
前記防護板材は、前記底面部に対して垂直であることを特徴とする請求項１記載のＲＦＩＤ用紙用プリンター。
【請求項５】
前記防護板材は、前記用紙排出口の下方部にこれを設けたことを特徴とする請求項１記載のＲＦＩＤ用紙用プリンター。
【発明の詳細な説明】
【技術分野】
【０００１】
本発明はＲＦＩＤ用紙用プリンターにかかるもので、とくにＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや書込みを行うＲＦＩＤラベルやＲＦＩＤタグ（下げ札）などのＲＦＩＤ用紙に印字を行うためのＲＦＩＤ用紙用プリンターに関するものである。
【背景技術】
【０００２】
従来から、この種のＲＦＩＤ用紙用のプリンターは、各種のＲＦＩＤ用紙を装填し、そのＩＣチップからのデータの読取りおよびＩＣチップへのデータの書込みを行うとともに、このＲＦＩＤ用紙の表面にバーコードその他により所定の情報の印字を行うものである。
図２は、従来のＲＦＩＤ用紙用プリンター１（たとえばサーマルプリンター）の要部概略側面図であって、ＲＦＩＤ用紙用プリンター１は、筐体２と、ＲＦＩＤ用紙連続体３の用紙供給部４と、移送路５と、用紙検出部６と、データ読取り書込み部７と、用紙印字部８と、を有する。
【０００３】
筐体２は、底面部２Ａと、底面部２Ａに垂直に形成した前面壁部２Ｂおよび後面壁部２Ｃと、底面部２Ａに平行に形成した上面壁部２Ｄと、を有する。
底面部２Ａは、鉄あるいはアルミニウムその他の金属材料によりこれを構成して、筐体２全体の剛性を保持している。
前面壁部２Ｂ、後面壁部２Ｃおよび上面壁部２Ｄは、任意の合成樹脂材料によりこれを構成して、全体の軽量化を図っている。
なお、前面壁部２Ｂには、用紙印字部８により印字発行されたＲＦＩＤ用紙連続体３を筐体２の外部に排出するための用紙排出口９を形成してある。
【０００４】
ＲＦＩＤ用紙連続体３は、帯状の台紙１０と、台紙１０上に等間隔に仮着した複数枚のＲＦＩＤラベル１１（ＲＦＩＤ用紙）と、を有する。
ＲＦＩＤラベル１１は、台紙１０に仮着可能なラベル本体１２と、用紙アンテナ１３およびＩＣチップ１４と、を有し、データ読取り書込み部７（ＲＦＩＤアンテナ１７、後述）からの電波の発信を受けて、ＩＣチップ１４からのデータの読取りおよびＩＣチップ１４へのデータの書込みが可能である。
通信用の電波としては、その周波数がたとえば３ＭＨｚ〜３０ＭＨｚ（好ましくは、１３５ｋＨｚ以下、もしくは１３．５６ＭＨｚ）の短波（ＨＦ）、あるいは３００ＭＨｚ〜３ＧＨｚ（好ましくは８６０〜９６０ＭＨｚ、さらに具体的には、４３３ＭＨｚ、９００ＭＨｚ、９２０〜９２５ＭＨｚ、９５０〜９５６ＭＨｚや２．４５ＧＨｚ）の極超短波（ＵＨＦ）などを用いることができる。
ただし、それぞれの使用電波に応じて用紙アンテナ１３の形状やＩＣチップ１４の具体的構成を適正なものとしている。
【０００５】
用紙供給部４は、ＲＦＩＤ用紙連続体３をロール状に保持可能であるとともに、装填保持されたＲＦＩＤ用紙連続体３を移送路５上に帯状に繰り出し可能である。
【０００６】
移送路５は、用紙供給部４の部分からガイドローラー１５までの繰出し移送路５Ａと、ガイドローラー１５から用紙印字部８の部分までの上方傾斜移送路５Ｂと、用紙印字部８の部分から排出口９に向けての下方傾斜移送路５Ｃと、からなっている。
【０００７】
用紙検出部６は、位置検出センサー１６を有し、ＲＦＩＤ用紙連続体３の裏面にあらかじめ印刷してある位置検出マーク（図示せず）を検出して、データ読取り書込み部７および用紙印字部８に対するＲＦＩＤ用紙連続体３の相対位置を検出可能とする。
【０００８】
データ読取り書込み部７は、ＩＣチップ１４からのデータの読取りおよびＩＣチップ１４へのデータの書込みを行うもので、そのＲＦＩＤアンテナ１７は、たとえば用紙印字部８の上流側下方部（ＲＦＩＤ用紙連続体３の下方部）であって、上方傾斜移送路５Ｂ上を移送されるＲＦＩＤ用紙連続体３に平行に対向する位置にこれを取り付ける。
したがって、ＲＦＩＤアンテナ１７は、筐体２の底面部２Ａに対して水平ではなく、ＲＦＩＤ用紙連続体３の移送方向に沿って斜め上方に傾斜するように取り付けられていることになる。
【０００９】
用紙印字部８は、サーマルヘッド１８およびプラテンローラー１９を有して、ＲＦＩＤラベル１１におけるＩＣチップ１４の保有データに関連する所定の情報をＲＦＩＤラベル１１の表面にバーコードや文字および数字などによる印字を行う。
【００１０】
なお前記筐体２は、用紙供給部４を収容する供給部空間２０と、この供給部空間２０に続くとともにデータ読取り書み部７を収容する読取り書込み部空間２１と、この読取り書込み部空間２１に続くとともにＲＦＩＤ用紙連続体３を用紙排出口９に向かって排出する方向に案内する排出用空間２２と、を形成している。
用紙印字部８は、図示のように読取り書込み部空間２１および排出用空間２２の境界部分に設けてもよいし、あるいは読取り書込み部空間２１において上方傾斜移送路５Ｂに沿ってデータ読取り書込み部７の下流側にこれを設けてもよい。
【００１１】
なおＲＦＩＤ用紙用プリンター１としては、スタンドアローンタイプとすることもできるが、外部のホストコンピューター（図示せず）からの制御コマンドによりこれを制御駆動することもできる。
【００１２】
こうした構成のＲＦＩＤ用紙用プリンター１において、用紙供給部４に装填されたＲＦＩＤ用紙連続体３は、移送路５の操出し移送路５Ａ、上方傾斜移送路５Ｂおよび下方傾斜移送路５Ｃを経て、用紙排出口９から筐体２外に発行排出される。
従来のＲＦＩＤ用紙用プリンター１は、その小型化および軽量化を図るために、既述のように、用紙供給部４（ロール状のＲＦＩＤ用紙連続体３）ないしＲＦＩＤ用紙連続体３のロール状から帯状への操出し開始位置を供給部空間２０のできるだけ下方部に配置し、供給部空間２０の下流側に続く読取り書込み部空間２１において上方傾斜移送路５Ｂを形成するようにし、用紙印字部８（プラテンローラー１９）の上流側であって上方傾斜移送路５Ｂを通るＲＦＩＤ用紙連続体３の下方部にデータ読取り書込み部７ないしそのＲＦＩＤアンテナ１７を配置可能としているため、移送路５の設計上、ＲＦＩＤアンテナ１７は筐体２の底面部２Ａに対して水平ではなく、斜めに傾斜した状態に取り付けられることになる。
さらに、用紙印字部８において印字発行されたＲＦＩＤ用紙連続体３（ＲＦＩＤラベル１１）は、その自重により下方に垂れる状態となるので、移送路５全体としては、図２に図示のように、側面からみれば上下に蛇行していることになる。
【００１３】
しかしながら、図示のように、データ読取り書込み部７のＲＦＩＤアンテナ１７からＲＦＩＤ用紙連続体３方向（図中、上方）に発射されたデータ通信用の上方電波Ｗ１とともに、図中下方の底面部２Ａ方向にも漏洩して発射される下方電波Ｗ２が存在することになる。
しかして、筐体２の底面部２Ａが金属材料であるため、ＲＦＩＤアンテナ１７背面から発せされる下方電波Ｗ２が底面部２Ａにおいて反射されて反射電波Ｗ３となり、しかも用紙印字部８において印字発行されたＲＦＩＤ用紙連続体３とＲＦＩＤアンテナ１７とは互いに比較的近距離にあって上記反射電波Ｗ３はあまりその強度が低下することなく、かつ、反射電波Ｗ３は合成樹脂製の全部壁部２Ｂを透過してしまうので、所定のデータを書き込む用紙印字部８から下方傾斜移送路５Ｃを用紙排出口９に向かう、ないし用紙排出口９から出たＲＦＩＤ用紙連続体３（ＲＦＩＤラベル１１）がこの反射電波Ｗ３により、本来書き込まれた情報とは異なったデータの上書きを行われてしまう場合があるという問題がある。
すなわち、用紙排出口９から外部に垂れ下がる印字発行済みのＲＦＩＤラベル１１に下方電波Ｗ２の反射ないし干渉によって誤った情報が書き込まれてしまうという問題がある。
なお、下方電波Ｗ２が底面部２Ａにおいて反射されるという傾向は、周波数が比較的高い電波ほどその可能性が高いという問題がある。
【００１４】
【特許文献１】特開２００３−２８３３６５号公報
【発明の開示】
【発明が解決しようとする課題】
【００１５】
本発明は以上のような諸問題にかんがみなされたもので、用紙印字部において印字発行後のＲＦＩＤラベルなどのＲＦＩＤ用紙に対して電波の反射ないし干渉によるデータの上書きを防止可能なＲＦＩＤ用紙用プリンターを提供することを課題とする。
【００１６】
また本発明は、データ読取り書込み部において書き込まれたデータとは異なるデータが下流側のＲＦＩＤ用紙に書き込まれることがないようにしたＲＦＩＤ用紙用プリンターを提供することを課題とする。
【００１７】
また本発明は、小型化および軽量化を図るために移送路が蛇行ないし折り曲げた形態を取らざるを得ないプリンターにおいて、データ読取り書込み部から、とくに印字発行済みのＲＦＩＤ用紙など他の部分への電波影響を防止可能としたＲＦＩＤ用紙用プリンターを提供することを課題とする。
【課題を解決するための手段】
【００１８】
すなわち本発明は、用紙排出口を形成している前面壁部にアルミニウムあるいは鉄などの金属材料による防護板材（アルミニウムシールドあるいは鉄シールド）を設けることに着目したもので、筐体と、用紙アンテナおよびＩＣチップを有するＲＦＩＤ用紙の用紙供給部と、このＲＦＩＤ用紙に対向するＲＦＩＤアンテナを有して、上記ＩＣチップからのデータの読取りおよび上記ＩＣチップへのデータの書込みを行うデータ読取り書込み部と、このＲＦＩＤ用紙に所定の情報の印字を行う用紙印字部と、を設け、さらに、上記筐体は、上記用紙供給部を収容する供給部空間と、この供給部空間に続くとともに上記データ読取り書み部を収容する読取り書込み部空間と、この読取り書込み部空間に続くとともに上記ＲＦＩＤ用紙を排出する方向に案内する排出用空間と、を形成しているとともに、その底面部を金属材料により構成し、上記ＲＦＩＤ用紙を上記筐体内において上記用紙供給部から上記データ読取り書込み部および上記用紙印字部に向かって所定の移送路上に移送するようにしたＲＦＩＤ用紙用プリンターであって、上記筐体は、上記ＲＦＩＤ用紙を上記排出用空間から上記筐体の外部に排出するための用紙排出口を形成した前面壁部を有し、この前面壁部に金属材料による防護板材を取り付けてあることを特徴とするＲＦＩＤ用紙用プリンターである。
【００１９】
上記ＲＦＩＤ用紙は、上記読取り書込み部空間において上記移送路における上方傾斜移送路を通るようにしていることができる。
【００２０】
上記ＲＦＩＤ用紙は、上記排出用空間から上記用紙排出口に向けて上記移送路における下方傾斜移送路を通るようにしていることができる。
【００２１】
上記防護板材は、上記底面部に対して垂直であることができる。
【００２２】
上記防護板材は、上記用紙排出口の下方部にこれを設けることができる。
【発明の効果】
【００２３】
本発明によるＲＦＩＤ用紙用プリンターにおいては、用紙排出口を形成している前面壁部にアルミニウムあるいは鉄などの金属材料による防護板材を設けたので、用紙印字部の上流側に設置されているデータ読取り書込み部（ＲＦＩＤアンテナ）背面から筐体の底面部を反射する漏洩電波を遮断し、発行後のＲＦＩＤ用紙連続体（ＲＦＩＤ用紙）への電波反射ないし干渉による不具合を防護することができる。
【発明を実施するための最良の形態】
【００２４】
本発明は、用紙排出口を形成している前面壁部にアルミニウムあるいは鉄などの金属材料による防護板材を設けたので、漏洩電波によるデータの上書きなどの障害を防止したＲＦＩＤ用紙用プリンターを実現した。
【実施例】
【００２５】
つぎに本発明の実施例によるＲＦＩＤ用紙用プリンター３０を図１にもとづき説明する。ただし、図２と同様の部分には同一符号を付し、その詳述はこれを省略する。
図１は、ＲＦＩＤ用紙用プリンター３０の要部概略側面図であって、ＲＦＩＤ用紙用プリンター３０の基本的な構造は、前述したＲＦＩＤ用紙用プリンター１（図２）と同様であるが、筐体２の前面壁部２Ｂにおける用紙排出口９の下方部（用紙排出口９の下方開口部から底面部２Ａまで）にアルミニウムあるいは鉄などの金属材料による防護板材３１を取り付けていることを特徴とする。
この防護板材３１の底面部２Ａに対する取付け傾斜角度は、データ読取り書込み部７におけるＲＦＩＤアンテナ１７の底面部２Ａに対する取付け傾斜角度に対応してこれを設計可能であり、たとえば筐体２の底面部２Ａに対して垂直である。
なお、データ読取り書込み部７とＲＦＩＤラベル１１との間の通信用電波としては、その周波数がたとえば９２０〜９２５ＭＨｚのＵＨＦ帯のものを用いている。
【００２６】
こうした構成のＲＦＩＤ用紙用プリンター３０において、データ読取り書込み部７におけるＲＦＩＤアンテナ１７の背面側から底面部２Ａに向かって漏洩した下方電波Ｗ２は、この底面部２Ａにおいて反射して反射電波Ｗ３として前面壁部２Ｂ方向に向かうが、この防護板材３１に遮断されて、筐体２の外部に排出されるＲＦＩＤ用紙連続体３（ＲＦＩＤラベル１１）にデータの上書きを行うことはない。
もちろん、漏洩電波Ｗ２ないし反射電波Ｗ３は、この防護板材３１において反射して用紙印字部８ないしデータ読取り書込み部７方向に向かう可能性はあるが、反射のたびに減衰するとともにすでに所定の距離を伝播しているので、その強さは所定レベルまで低下してしまうので、他のＲＦＩＤラベル１１への上書き操作という障害を起こすことはない。
【図面の簡単な説明】
【００２７】
【図１】本発明の実施例によるＲＦＩＤ用紙用プリンター３０の要部概略側面図である。
【図２】従来のＲＦＩＤ用紙用プリンター１（たとえばサーマルプリンター）の要部概略側面図である。
【符号の説明】
【００２８】
１  ＲＦＩＤ用紙用プリンター（従来、図２）
２  筐体
２Ａ  筐体２の金属製の底面部
２Ｂ  筐体２の合成樹脂製の前面壁部
２Ｃ  筐体２の合成樹脂製の後面壁部
２Ｄ  筐体２の合成樹脂製の上面壁部
３  ＲＦＩＤ用紙連続体
４  用紙供給部
５  移送路
５Ａ  移送路５の操出し移送路
５Ｂ  移送路５の上方傾斜移送路
５Ｃ  移送路５の下方傾斜移送路
６  用紙検出部
７  データ読取り書込み部
８  用紙印字部
９  用紙排出口
１０  台紙
１１  ＲＦＩＤラベル（ＲＦＩＤ用紙）
１２  ラベル本体
１３  用紙アンテナ
１４  ＩＣチップ
１５  ガイドローラー
１６  位置検出センサー
１７  ＲＦＩＤアンテナ
１８  サーマルヘッド
１９  プラテンローラー
２０  筐体２内の供給部空間
２１  筐体２内の読取り書込み部空間
２２  筐体２内の排出用空間
３０  ＲＦＩＤ用紙用プリンター（実施例、図１）
３１  アルミニウムあるいは鉄などの金属材料による防護板材
Ｗ１  ＲＦＩＤアンテナ１７からＲＦＩＤ用紙連続体３に向かって発射される上方電波
Ｗ２  ＲＦＩＤアンテナ１７からＲＦＩＤ用紙連続体３とは反対側に向かう下方電波（漏洩電波）
Ｗ３  下方電波Ｗ２の底面部２Ａからの反射電波
【図１】
2009134622.tif 000003
【図２】
2009134622.tif 000004